(57)【特許請求の範囲】
【請求項１】
遠赤外線放射物質の練り込み布地を使用し、表地１０は、右側表地１０ａと左側表地１０ｂとからなり、前記右側表地１０ａは、伸縮性が大きく、肌ざわりの優れた布地からなり、前面中央から折り返し線１９を経て後面中央まで覆うだけの幅を有し、この右側表地１０ａの上下方向は、上端が臍よりやや上まで覆うようなハイウエストで、下端が太ももの付け根まで覆う長さとし、この右側表地１０ａの後面に縦半分のハート形の右側モールド成型部１４ａがモールド形成され、前記左側表地１０ｂについても、右側表地１０ａと対称形をなし、これら左右側モールド成型部１４ａ、１４ｂとにより、ハート形のモールド成型部１４が形成され、この表地１０の前面中央に、腹部を覆う伸縮性の少ない腹部補強布１２を縫着し、この腹部補強布１２からモールド成型部１４の間に、股下部分を覆うクロッチ用表地１３ａを縫着し、前記表地１０の内側には、臀部を外周から中心に向かって持ち上げて形を整えるために、後面に前記モールド成型部１４の外周縁部に略一致した臀部用切り欠き２５を形成するように裁断された臀部支え裏地１１を縫着し、前記腹部補強布１２の内側に中央部裏地２３を２枚重ねして遠赤外線放射シート２４を収容するための腹部ポケット２１を形成し、前記クロッチ用表地１３ａの内側にクロッチ用裏地１３ｂを２枚重ねして遠赤外線放射シート２４を収容するためのクロッチ部ポケット２２を形成し、前記表地１０の後面の臀部を包むモールド成型部１４の部分を右側モールド成型部１４ａと左側モールド成型部１４ｂに垂直に２分し、この２分する位置に、臀部用ゴム紐１８を一体に縫い付けてシャーリングによりダーツを形成し、右側モールド成型部１４ａと左側モールド成型部１４ｂの上端を下方へやや引き下げてヒップ部分に丸みが形成されるようにし、前記表地１０の前面中央の腹部を覆う部分であって、中央部裏地２３と右側臀部支え裏地１１ａとの間及び中央部裏地２３と左側臀部支え裏地１１ｂとの間を、表地１０だけの一重部１５としたことを特徴とする生理用ショーツ。
【発明の詳細な説明】
【０００１】
【発明の属する技術分野】
本発明は、遠赤外線の放射物質の練り込み布地による温熱効果を利用した生理用ショーツに関するものである。
【０００２】
【従来の技術】
生理用ショーツは、生理時に生理用ナプキンを保持するために着用するものであり、ナプキン装着時の蒸れによる不快感を防ぐために、ショーツ全体は通気性のよい綿等の布地から形成される一方、ナプキンが触れる箇所は経血が外部に漏れ出るのを防ぐために防水性の高い布地により形成されている。
また、生理時は身体の冷えにより生理痛等の身体不調に悩む人が多いので、生理用ショーツの中には、冷え防止対策として起毛性の布地により形成されているものや、遠赤外線の放射による温熱効果を有する布地によって形成されているものがあった。
また、従来の生理用ショーツの中には、おしゃれを楽しむための装飾を重視し、レースや切り替え等に工夫がされているものもあった。
【０００３】
【発明が解決しようとする課題】
従来の生理用ショーツには、以下の問題点があった。
生理用ショーツは、生理用ナプキンの保持及び生理時の下半身の冷え防止という目的を達成するために、主に、使用される布地の材質の面で工夫がされているが、形状面での工夫、例えば体形補整のための特別な工夫はされていない。特に、従来のショーツは、臍より下で穿くものが多かった。臍を包むものでもゴム紐の部分が細く食い込み易く、そけいリンパを圧迫するものがほとんどであった。そのために体の血流を妨げてしまい、体を冷やす原因になっている。また、ヒップを包みきれないような小さなショーツでは、垂れヒップなどヒップの形を崩し、また、ゴム紐で腹に食い込むと、上や下に脂肪を逃がし、３段腹、寸胴、ピーマン形等、体のラインを崩してしまうことになっていた。
【０００４】
ここで、生理用ショーツは、その機能や構造が特殊であるので、通常のショーツで代替することが困難である。このため、通常時には体形補整用ショーツを身につけている女性でも、生理時には上記のような体形補整効果を有しない生理用ショーツを身につけなければならないことが多い。
そのため、生理時には体形補整を行うことができず、洋服を着用したときの外形が悪くなってしまうという不都合が生じていた。生理は多くの場合、１月に１回起こり、１週間程度続くものであるので、１箇月のうち４分の１程度は体形補整を行えないことになる。
従って、体形補整下着によって整えていた臀部等の筋肉は、補整下着を着用不可能な生理中の１週間の間に下がってしまうため、体形補整効果が薄れるという問題もあった。
また、着用により臀部が本来の位置よりも下がるので、臀部から腰部にかけての血流が悪くなったり、骨盤がゆがむなどし、その結果身体が冷えたり生理痛が起こる原因になるという問題もあった。
【０００５】
人間の身体には約１０００以上の経穴（ツボ）と呼ばれる治療ポイントがあり、各経穴は経絡という通路を通じて内蔵や各組織とつながっていて、それらの経穴を指圧したり温熱刺激を与えたりすることにより病気を治癒し、健康を維持できるとされている。
ショーツで覆われる腹部、腰部等にも経穴があり、それらに温熱刺激を与えることにより、生理時の体調不良や生理不順等の婦人科系の症状への治療効果が発生することがわかっている。そして、それらの経穴は、へその周囲や背骨の両脇に集中している。
【０００６】
しかし、従来の生理用ショーツの中には、身体の冷えを防止することを目的として形成されているものもあったが、それらは腹部、腰部及び臀部全体の冷えを防止することを目的として作成されており、経穴に集中的な温熱刺激を与えることを目的として作られたものはほとんどなかった。
よって、従来の生理用ショーツでは、腹部、腰部及び臀部全体の冷え防止効果は期待できたが、経穴の温熱刺激による治療効果までは期待できないという問題があった。
【０００７】
本発明の第１の目的は、生理中の体形補整を可能とする生理用ショーツを提供することである。
本発明の第２の目的は、臀部を正しい位置に補整することにより臀部や腰部の正しい血流を促すことを可能とする生理用ショーツを提供することである。
本発明の第３の目的は、生理時の体調不良や婦人科系疾患に関する重要な経穴が集まる範囲に集中的な温熱刺激を与えることを可能とする生理用ショーツを提供することである。
【０００８】
【課題を解決するための手段】
本発明の生理用ショーツは、遠赤外線放射物質の練り込み布地を使用し、表地１０は、右側表地１０ａと左側表地１０ｂとからなり、前記右側表地１０ａは、伸縮性が大きく、肌ざわりの優れた布地からなり、前面中央から折り返し線１９を経て後面中央まで覆うだけの幅を有し、この右側表地１０ａの上下方向は、上端が臍よりやや上まで覆うようなハイウエストで、下端が太ももの付け根まで覆う長さとし、この右側表地１０ａの後面に縦半分のハート形の右側モールド成型部１４ａがモールド形成され、  前記左側表地１０ｂについても、右側表地１０ａと対称形をなし、これら左右側モールド成型部１４ａ、１４ｂとにより、ハート形のモールド成型部１４が形成され、この表地１０の前面中央に、腹部を覆う伸縮性の少ない腹部補強布１２を縫着し、この腹部補強布１２からモールド成型部１４の間に、股下部分を覆うクロッチ用表地１３ａを縫着し、前記表地１０の内側には、臀部を外周から中心に向かって持ち上げて形を整えるために、後面に前記モールド成型部１４の外周縁部に略一致した臀部用切り欠き２５を形成するように裁断された臀部支え裏地１１を縫着し、前記腹部補強布１２の内側に中央部裏地２３を２枚重ねして遠赤外線放射シート２４を収容するための腹部ポケット２１を形成し、前記クロッチ用表地１３ａの内側にクロッチ用裏地１３ｂを２枚重ねして遠赤外線放射シート２４を収容するためのクロッチ部ポケット２２を形成し、前記表地１０の後面の臀部を包むモールド成型部１４の部分を右側モールド成型部１４ａと左側モールド成型部１４ｂに垂直に２分し、この２分する位置に、臀部用ゴム紐１８を一体に縫い付けてシャーリングによりダーツを形成し、右側モールド成型部１４ａと左側モールド成型部１４ｂの上端を下方へやや引き下げてヒップ部分に丸みが形成されるようにし、前記表地１０の前面中央の腹部を覆う部分であって、中央部裏地２３と右側臀部支え裏地１１ａとの間及び中央部裏地２３と左側臀部支え裏地１１ｂとの間を、表地１０だけの一重部１５としたことを特徴とする。
【０００９】
【発明の実施の形態】
本発明による生理用ショーツの前部は、前身頃の下にクロッチ部を縫着した形を原型とし、前記前身頃部の中央上部であって前記クロッチ部の上部には腹部補強布を縫着する。
前記前身頃部は、へそのやや上から脚の付け根部までを覆うものとし、脚付け根部は歩行等の邪魔にならないように股ぐりを深めに切り欠いている。
前記腹部補強布は、下端部が錐形をなす細めのホームベース型で、収縮力の強く、伸縮性の少ない布地により形成される。そして、この腹部補強布の縫着部分は前記前身頃部の裏地と合わせて布地が二重となり、かつ、ポケットを作って遠赤外線放射部材を収納することで、温熱効果を高め、また、補強力を強化することにより腹部の出っ張りを補整する。
前記クロッチ部は、上端部が前記腹部補強布の下端部の形状と対応し、側辺は股ぐりの切り欠きとなるので、ほぼＹ字型の形状をなすとともに、布地が二重となり、かつ、ポケットを作って遠赤外線放射部材を収納することで、温熱効果を高めている。
また、保持した生理用ナプキンの経血がショーツ外部に漏れ出すのを防止するために、クロッチ部の内側の裏地には、防水布を配した防水部を形成する。
【００１０】
ショーツの側辺及び背面は、側部から背面の臀部下にかけてヒップ補強のための臀部支え裏地を配する。この臀部支え裏地は、ヒップを周囲から押し上げるために収縮性の大きな布地を二枚重ねとし、ヒップの周囲を囲むように臀部用切り欠きの中空部を有するハートのドーナツ形とし、ショーツ背面のヒップを囲む位置に配する。そして、内側を立体的なモールド成型部とし、外側の側辺部を前記前身頃部と縫着し、外側の底辺をクロッチ部と縫着する。
着用したショーツが左右にずれるのを防ぐとともに、よりヒップの丸みを保持するために、ショーツ背面の中央部に細いテープ状のゴム紐を入れて縫着する。また、着用時にウエストや脚部がずれるのを防止し、かつ、装着した生理用ナプキンのずれや経血の漏れを防止するため、上部及び股ぐりにもゴム紐を入れる。
【００１１】
本発明による生理用ショーツの具体的な実施例を図１〜図４に基づき説明する。
本発明による生理用ショーツを構成するすべての布地が遠赤外線を放射するセラミック練り込み糸を使用している。遠赤外線放射セラミックスは、生育光線・健康光線（６〜１４ミクロンの波長帯で、８．９ミクロンで最高ピークを迎える）とも呼ばれる遠赤外線が放射される。具体的には、遠赤外線放射セラミックス練り込みポリエステル混紡糸（クラレＸＹ−Ｅ：登録商標）とロイカ（旭化成スパンテックス：登録商標）を交編し、吸汗発散性に優れ、静電気防止効果を持たせた（デュポン社のゼルコン加工：登録商標）ものが用いられ、オールシーズン快適に着用できるようになっている
図４（ａ）に示すように、生理用ショーツの表地１０は、右側表地１０ａと左側表地１０ｂとからなり、中央部に腹部補強布１２が縫着される。
【００１２】
前記右側表地１０ａは、伸縮性が大きく、肌ざわりの優れた布地からなり、前面中央から折り返し線１９を経て後面中央まで覆うだけの幅を有し、また、上下方向は、上端が臍よりやや上まで覆うようなハイウエストで、下端が太ももの付け根まで覆う長さとなっている。この右側表地１０ａの後面に縦半分のハート形の右側モールド成型部１４ａがモールド形成されている。
前記左側表地１０ｂについても、右側表地１０ａと対称形をなしている。したがって、左右側モールド成型部１４ａ、１４ｂとにより、ハート形のモールド成型部１４が形成される。
前記腹部補強布１２からモールド成型部１４の間に、股下部分を覆うクロッチ用表地１３ａを縫着する。
ウエスト部には、ウエスト部用ゴム紐１７が縫着され、また、臀部を垂直に２分する部分には臀部用ゴム紐１８が配置される。
なお、右側表地１０ａと左側表地１０ｂにおいて、両側の折り返し線１９で折り返すようにして、縫い代を作らないようにしている。これは、縫い代を作ると、その縫い代でヒップに圧力がかかり、ヒップに縦筋が生じるからである。
【００１３】
前記腹部補強布１２は、伸縮性の少ない織り方をした布地を野球のホームベース型に裁断したものである。この腹部補強布１２の両側には、細幅３角形のレース編みした飾り布２０が縫着され、装飾用と腹部保温用を兼ねている。
前記クロッチ用表地１３ａは、伸縮性のある織り方をしたネットなどの布地からなる。
【００１４】
図４（ｂ）に示すように、前記腹部補強布１２の内側には、裏地として伸縮性のある織り方をした布地を使用した中央部裏地２３が縫着され、前記左右側モールド成型部１４ａ、１４ｂには、臀部支え裏地１１を構成する右側臀部支え裏地１１ａと左側臀部支え裏地１１ｂが縫着され、さらに、クロッチ用表地１３ａには、クロッチ用裏地１３ｂが縫着される。
前記右側臀部支え裏地１１ａには、内側に右側臀部用切り欠き２５ａが前記右側モールド成型部１４ａの外周縁部に略一致したＣ型に裁断され、ヒップを外周から中心に向かって持ち上げて形を整える。
前記左側臀部支え裏地１１ｂについても、右側臀部支え裏地１１ａと対称形をなしている。したがって、左の右側臀部用切り欠き２５ａ、２５ｂにより、ハート形のモールド成型部１４が外周から包囲されている。
【００１５】
以上のような表地と裏地が重ね合わせられて縫製される。
このとき、腹部補強布１２と中央部裏地２３の２枚重ね部分には、図１に点線で示すような縦長の腹部ポケット２１が形成され、遠赤外線放射シート２４が上方から着脱できるように縫製される。また、クロッチ用表地１３ａとクロッチ用裏地１３ｂの２枚重ね部分にも、図１及び図２に点線で示すような細長のクロッチ部ポケット２２が形成され、遠赤外線放射シート２４が前方又は後方から着脱できるように縫製される。この遠赤外線放射シート２４は、遠赤外線を放射するセラミック粉末を軟質ゴムに練り込んで、薄い板状に成型したものである。
この遠赤外線を放射するセラミックス使用の遠赤外線放射シート４０は、本出願人により既に登録された発明（実用新案登録第３０６０２８１号）、公知の登録実用新案（実用新案登録第１３８６５６０号）など、医療用シリコンゴムを混合してゴム板状にし、形状を縦５ｃｍ、横７ｃｍ、厚さ２ｍｍ程度の薄い長方形に形成したものが用いられる。
また、板状に限られるものではなく、数ミリ程度の粒状の遠赤外線を放射するセラミック粒状物を軟質板材に埋め込んだものであってもよい。
【００１６】
また、後面のモールド成型部１４を垂直に２分する部分に臀部用ゴム紐１８を一体に縫い付け、シャーリングによるダーツを作る。また、ショーツの上端部にウエスト部用ゴム紐１７を一体に縫い付ける。このため、モールド成型部１４の部分では、図２に示すように、後面がやや下方へ引き下げられて、中間部にたるみが形成され、ヒップ部分の丸みがより強調される。また、上端部分では、表地１０と裏地１１が共に伸縮性を有することと相俟って、ウエスト部用ゴム紐１７をきつくならないように、即ち、ウエスト部分が食い込まない程度に緩めに縫製されている。なお、必要に応じて、脚挿入口１６の周りにもゴム紐を縫着するようにしてもよい。
【００１７】
このようにして形成された股上の深い生理用ショーツを穿くことで、ウエスト部分に圧迫感を与えることなく、下腹部とウエスト部の贅肉をすっぽりと包み込み、ヒップの丸みもつぶさず、また、ヒップを臀部支え裏地１１によって外周からヒップの頂点に向かって持ち上げて形を整えることで、太ももに脂肪が流れるのを阻止している。
ヒップをハート形のモールド成型部１４で補整しつつ体重を支えるために、背骨にかかる負担を軽減することができる。
また、表地１０の前面中央の腹部を覆う部分であって、中央部裏地２３と右側臀部支え裏地１１ａとの間及び中央部裏地２３と左側臀部支え裏地１１ｂとの間を、表地１０だけの一重部１５としたのは、足の付け根部分の動きを妨げないようにするためである。
【００１８】
また、臍のやや上から下腹部は、腹部補強布１２と中央部裏地２３が２枚重ねとなっているとともに、腹部ポケット２１に遠赤外線放射シート２４を収容できるようになっているため、身体における腹部の中央線に沿って存在する重要な多数の経穴、例えば、中かん（ちゅうかん）（上腹部の中央で、へそとみぞおちの中間にあり、腹部の内臓・消化器全般の病気、食欲不振、ノイローゼ、不眠症等の治療に効果を発揮する）、水分（すいぶん）（へその上３〜４ｃｍのところにあり、大腸の水分バランスを整える働きを有し、下痢等の治療に効果を発揮する）、気海（きかい）（へそ下４〜５ｃｍのところにあり、精神症時の呼吸促迫、婦人病・泌尿器・消化器の急性の痛みの治療に効果を発揮する）などを温める効果がある。
また、クロッチ部においても、クロッチ用表地１３ａと裏地１３ｂが２枚重ねとなっているとともに、クロッチ部ポケット２２に遠赤外線放射シート２４を収容できるようになっているため、クロッチ部に温熱刺激を与えることにより、生理時の体調不良や生理不順等の婦人科系の症状への治療効果が発生することができる。
【００１９】
図１に示す実施例では、脚の付け根部分から露出するショートタイプの生理用ショーツを形成したが、本発明はこれに限られるものではなく、太ももの中間位置まで包み込むようなロングタイプの生理用ショーツを形成してもよい。
【００２０】
【発明の効果】
請求項１記載の発明によれば、
遠赤外線放射物質の練り込み布地を使用し、表地１０は、右側表地１０ａと左側表地１０ｂとからなり、前記右側表地１０ａは、伸縮性が大きく、肌ざわりの優れた布地からなり、前面中央から折り返し線１９を経て後面中央まで覆うだけの幅を有し、この右側表地１０ａの上下方向は、上端が臍よりやや上まで覆うようなハイウエストで、下端が太ももの付け根まで覆う長さとし、この右側表地１０ａの後面に縦半分のハート形の右側モールド成型部１４ａがモールド形成され、
前記左側表地１０ｂについても、右側表地１０ａと対称形をなし、これら左右側モールド成型部１４ａ、１４ｂとにより、ハート形のモールド成型部１４が形成され、この表地１０の前面中央に、腹部を覆う伸縮性の少ない腹部補強布１２を縫着し、この腹部補強布１２からモールド成型部１４の間に、股下部分を覆うクロッチ用表地１３ａを縫着し、前記表地１０の内側には、臀部を外周から中心に向かって持ち上げて形を整えるために、後面に前記モールド成型部１４の外周縁部に略一致した臀部用切り欠き２５を形成するように裁断された臀部支え裏地１１を縫着し、前記腹部補強布１２の内側に中央部裏地２３を２枚重ねして遠赤外線放射シート２４を収容するための腹部ポケット２１を形成し、前記クロッチ用表地１３ａの内側にクロッチ用裏地１３ｂを２枚重ねして遠赤外線放射シート２４を収容するためのクロッチ部ポケット２２を形成し、前記表地１０の後面の臀部を包むモールド成型部１４の部分を右側モールド成型部１４ａと左側モールド成型部１４ｂに垂直に２分し、この２分する位置に、臀部用ゴム紐１８を一体に縫い付けてシャーリングによりダーツを形成し、右側モールド成型部１４ａと左側モールド成型部１４ｂの上端を下方へやや引き下げてヒップ部分に丸みが形成されるようにし、前記表地１０の前面中央の腹部を覆う部分であって、中央部裏地２３と右側臀部支え裏地１１ａとの間及び中央部裏地２３と左側臀部支え裏地１１ｂとの間を、表地１０だけの一重部１５としたので、ヒップを立体的に包み込着用時にヒップの丸みがつぶされない。また、ヒップがつぶされないことにより臀部が正しい位置に補整され、腰部の血流が阻害されることがなく、また、骨盤がゆがむこともない。よって、冷えや生理痛等の不都合の原因も発生しない。生理中であっても体形補整を行うことができ、体形がわかりやすい薄手の洋服を着た場合でも見た目を良好に保つことができる。また、生理用ショーツでありながら、通常の補整用下着と同様の体形補整機能を有するので、生理中であっても体形補整を継続することができる。表地と裏地の二重の布地により形成したので、婦人科系疾患の緩和に重要な経穴を多く有する腹部中央線上及び腰部が、遠赤外線の輻射熱によって芯から暖められ、高い温熱効果を得ることができる。よって、生理痛、生理痛の原因となる冷えの緩和、その他婦人科系疾患の緩和について高い効果を得ることができる。
また、遠赤外線放射セラミックス練り込み布地を用い、かつ、遠赤外線放射シートを収容することにより、血液循環が改善されるので、体の免疫力を高め、家電やＯＡ機器等から発せられる有害電磁波の影響を少なくし、しかも、有害な電磁波を害のない有益なエネルギーに変換することができる。特に、女性の場合は、生理不順、異常妊娠や出産等にも関連性があると言われており、本発明による生理用ショーツを着用することにより、電磁波による婦人科系疾患の防止や軽減を期待することができる。
【００２１】
また、表地１０の後面の臀部を包むモールド成型部１４の部分を右側モールド成型部１４ａと左側モールド成型部１４ｂに垂直に２分し、この２分する位置に、臀部用ゴム紐１８を一体に縫い付けてシャーリングによりダーツを形成し、右側モールド成型部１４ａと左側モールド成型部１４ｂの上端を下方へやや引き下げてヒップ部分に丸みが形成されるようにしたので、着用したショーツが左右にずれるのを防ぐとともに、よりヒップの丸みを保持することができる。
【００２２】
さらに、表地１０の前面中央の腹部を覆う部分であって、中央部裏地２３と右側臀部支え裏地１１ａとの間及び中央部裏地２３と左側臀部支え裏地１１ｂとの間を、表地１０だけの一重部１５としたので、脚の屈伸運動を妨げることがない。
【図面の簡単な説明】
【図１】本発明による生理用ショーツの一実施例を示す正面図である。
【図２】本発明による生理用ショーツの一実施例を示す背面図である。
【図３】本発明による生理用ショーツの着用時の側面図である。
【図４】（ａ）は、表地の分解図で、（ｂ）は、裏地の分解図である。
【符号の説明】
１０…表地、１０ａ…右側表地、１０ｂ…左側表地、１１…臀部支え地、１１ａ…右側臀部支え地、１１ｂ…左側臀部支え地、１２…腹部補強布、１３ａ…クロッチ用表地、１３ｂ…クロッチ用裏地、１４…モールド成型部、１４ａ…右側モールド成型部、１４ｂ…左側モールド成型部、１５…一重部、１６…脚挿入口、１７…ウエスト部用ゴム紐、１８…臀部用ゴム紐、１９…折り返し線、２０…飾り布、２１…腹部ポケット、２２…クロッチ部ポケット、２３…中央部裏地、２４…遠赤外線放射シート、２５…臀部用切り欠き、２５ａ…右側臀部用切り欠き、２５ｂ…左側臀部用切り欠き。
【図１】
0003979577.tif 000002
【図２】
0003979577.tif 000003
【図３】
0003979577.tif 000004
【図４】
0003979577.tif 000005